(57)【要約】【課題】撮影した画像の歪みを解消する移動体通信端末装置を提供する。【解決手段】画像読取部（カメラ）と被写体との対角線を所定の角度αに保持した状態で被写体を読み取った際に形成される画像の歪みを補正する補正処理機能を具備する移動体通信端末装置により、所定の角度αで読み取った撮影画像から歪みのない撮影画像に補正することが可能となる。これにより、移動体通信端末装置を所定の角度αに保持した状態で、画像読取部を用いて画像を読み取った際に生じる画像の歪みを、移動体通信端末装置の具備する補正処理機能により補正することが可能となり、歪みのない撮影画像を取得することが可能となる。【選択図】        図１
2004242208.tif 000002
【特許請求の範囲】
【請求項１】
被写体を撮影する画像読取手段を有する折り畳み可能な移動体通信端末装置であって、
前記画像読取手段により撮影される撮影方向と被写体とのなす一定角度で形成される撮影画像の歪みを補正する歪補正処理手段を有し、
前記画像読取手段により一定角度で撮影された撮影画像の歪みを前記歪補正処理手段により補正することで歪みのない撮影画像を形成することを特徴とする移動体通信端末装置。
【請求項２】
前記歪補正処理手段は、
前記一定角度で形成される画像の歪みを補正する演算処理を実行させることで歪み補正を行うことを特徴とする請求項１記載の移動体通信端末装置。
【請求項３】
前記歪補正処理手段は、
前記一定角度で形成される画像の歪みを補正する補正レンズを前記画像読取手段に実装させることで歪み補正を行うことを特徴とする請求項１記載の移動体通信端末装置。
【請求項４】
前記歪補正処理手段は、
前記一定角度に幅を持たせて画像の歪みを補正する歪補正調節処理手段を有し、前記一定角度で形成される画像の歪みを補正した後に、前記歪補正調節処理手段によりさらに画像の歪みを補正することを特徴とする請求項１から３の何れか１項に記載の移動体通信端末装置。
【請求項５】
前記歪補正処理手段を実行させるか否かを設定する設定手段を有することを特徴とする請求項１から４の何れか１項に記載の移動体通信端末装置。
【請求項６】
被写体を撮影する画像読取手段を有する折り畳み可能な移動体通信端末装置であって、
前記画像読取手段により撮影される撮影方向と被写体とのなす角度を検出する角度検出手段と、
前記角度検出手段により検出した角度に応じて形成される画像の歪みを補正する補正処理手段と、
を有し、前記画像読取手段により形成された撮影画像の歪みを前記角度検出手段により検出した角度に応じて補正することで歪みのない撮影画像を形成することを特徴とする移動体通信端末装置。
【請求項７】
前記補正処理手段は、
前記角度検出手段により検出した角度に幅を持たせて画像の歪みを補正する補正調節処理手段を有し、
前記角度検出手段により検出した角度に応じて画像の歪みを補正した後に、前記補正調節処理手段によりさらに画像の歪みを補正することを特徴とする請求項６記載の移動体通信端末装置。
【請求項８】
前記角度検出手段と、前記補正処理手段と、を実行させるか否かを設定する設定手段を有することを特徴とする請求項６または７記載の移動体通信端末装置。
【請求項９】
折り畳み可能な移動体通信端末装置で実行される画像補正処理プログラムであって、
前記移動体通信端末装置において、
被写体を撮影する画像読取処理と、
前記画像読取処理により撮影される撮影方向と被写体とのなす一定角度で形成される撮影画像の歪みを補正する歪補正処理と、を実行させ、
前記画像読取処理により一定角度で撮影された撮影画像の歪みを前記歪補正処理により補正することで歪みのない撮影画像を形成することを特徴とする画像補正処理プログラム。
【請求項１０】
前記歪補正処理は、
前記一定角度で形成される画像の歪みを補正する演算処理を実行させることで歪み補正を行うことを特徴とする請求項９記載の画像補正処理プログラム。
【請求項１１】
前記一定角度に幅を持たせて画像の歪みを補正する歪補正調節処理を前記移動体通信端末装置において実行させ、
前記歪補正処理は、
前記一定角度で形成される画像の歪みを補正した後に、前記歪補正調節処理によりさらに画像の歪みを補正することを特徴とする請求項９または１０記載の画像補正処理プログラム。
【請求項１２】
前記画像読取処理と、前記歪補正処理と、の少なくとも一つの処理は、
前記移動体通信端末装置の具備する操作ボタンにより実行させることを特徴とする請求項９から１１の何れか１項に記載の画像補正処理プログラム。
【請求項１３】
折り畳み可能な移動体通信端末装置で実行させる画像補正処理プログラムであって、
前記移動体通信端末装置において、
被写体を撮影する画像読取処理と、
前記画像読取処理により撮影される撮影方向と被写体とのなす角度を検出する角度検出処理と、
前記角度検出処理により検出された角度に応じて画像の歪みを補正する補正処理と、
を実行させ、前記画像読取処理により撮影された撮影画像の歪みを前記角度検出処理により検出した角度に応じて補正することで歪みのない撮影画像を形成することを特徴とする画像補正処理プログラム。
【請求項１４】
前記角度検出処理により検出した角度に幅を持たせて画像の歪みを補正する補正調節処理を前記移動体通信端末装置において実行させ、
前記補正処理は、
前記角度検出処理により検出した角度に応じて画像の歪みを補正した後に、前記補正調節処理によりさらに画像の歪みを補正することを特徴とする請求項１３記載の画像補正処理プログラム。
【請求項１５】
前記画像読取処理と、前記角度検出処理と、前記補正処理と、の少なくとも１つの処理は、
前記移動体通信端末装置の具備する操作ボタンにより実行させることを特徴とする請求項１３または１４記載の画像補正処理プログラム。
【発明の詳細な説明】
【０００１】
【発明の属する技術分野】
本発明は、画像を読み取った際に生じる撮影画像の歪みを補正する移動体通信端末装置および画像補正処理プログラムに関する。
【０００２】
【従来の技術】
近年、移動体通信端末装置において様々な機能が具備されており、例えば、画像を読み取ることが可能な移動体通信端末装置がある。この移動体通信端末装置を用いて画像を撮影した場合に、手振れ等により撮影画像が乱れてしまい、撮影画像を認識することが困難となる場合がある。
上記問題を解決するために、折り畳み可能な移動体通信端末装置の筐体構造を利用して、移動体通信端末装置を机上等の平面な場所に設置して、図１に示すように所定の角度を保持しながら被写体を撮影する。これにより、振れることなく被写体を撮影することが可能となる。
【０００３】
また、本願発明と類似する従来技術として、遠近感が誇張される歪みを補正する歪補正部を携帯電話に設け、画像の周辺部を中央部に対して拡大する処理を行うことで、撮影した画像に生ずる歪みを補正するものがある（特許文献１参照）。
【０００４】
【特許文献１】
特開２００２−２４７４４６号公報
【０００５】
【発明が解決しようとする課題】
しかしながら、従来の移動体通信端末装置では、机上の被写体とカメラの撮影方向（直進方向）との間に、一定の角度を形成して被写体を撮影することとなり、撮影画像は図４に示すようにカメラと被写体との撮影距離が近い画像部分が大きく写り、カメラと被写体との撮影距離が遠くなるに従って徐々に縮小されて画像が写ることとなる。このため、撮影画像を用いて文字認識を行う際に、認識率を低下させてしまうこととなる。
【０００６】
また、撮影画像に対して歪みを形成しないように、被写体とカメラの撮影方向（直進方向）との角度を垂直にするために、図１１に示すように移動体通信端末装置の筐体構造を１８０度回転可能となるように設計した場合には、被写体とカメラとの距離が近くなり、被写体に当たる外光を移動体通信端末装置の筐体自身で遮ってしまい、被写体が暗くなり、鮮明な画像を撮影するために必用な光量を得ることが困難となる。そこで、仮にライト等を搭載して被写体の暗さを解消したとしても、人物撮影等の一般用途にも耐える焦点距離のレンズを搭載したカメラの場合、図１１に示すような、ほぼ０距離での接写は不可能である。
【０００７】
本発明は、上記事情に鑑みてなされたものであり、撮影した画像の歪みを解消する移動体通信端末装置および画像補正処理プログラムを提供することを目的とする。
【０００８】
【課題を解決するための手段】
かかる目的を達成するために本発明は以下のような特徴を有する。
請求項１記載の発明は、被写体を撮影する画像読取手段を有する折り畳み可能な移動体通信端末装置であって、画像読取手段により撮影される撮影方向と被写体とのなす一定角度で形成される撮影画像の歪みを補正する歪補正処理手段を有し、画像読取手段により一定角度で撮影された撮影画像の歪みを歪補正処理手段により補正することで歪みのない撮影画像を形成することを特徴とする。
【０００９】
請求項２記載の発明は、請求項１記載の移動体通信端末装置において、歪補正処理手段は、一定角度で形成される画像の歪みを補正する演算処理を実行させることで歪み補正を行うことを特徴とする。
【００１０】
請求項３記載の発明は、請求項１記載の移動体通信端末装置において、歪補正処理手段は、一定角度で形成される画像の歪みを補正する補正レンズを画像読取手段に実装させることで歪み補正を行うことを特徴とする。
【００１１】
請求項４記載の発明は、請求項１から３の何れか１項に記載の移動体通信端末装置において、歪補正処理手段は、一定角度に幅を持たせて画像の歪みを補正する歪補正調節処理手段を有し、一定角度で形成される画像の歪みを補正した後に、歪補正調節処理手段によりさらに画像の歪みを補正することを特徴とする。
【００１２】
請求項５記載の発明は、請求項１から４の何れか１項に記載の移動体通信端末装置において、歪補正処理手段を実行させるか否かを設定する設定手段を有することを特徴とする。
【００１３】
請求項６記載の発明は、被写体を撮影する画像読取手段を有する折り畳み可能な移動体通信端末装置であって、画像読取手段により撮影される撮影方向と被写体とのなす角度を検出する角度検出手段と、角度検出手段により検出した角度に応じて形成される画像の歪みを補正する補正処理手段と、を有し、画像読取手段により形成された撮影画像の歪みを角度検出手段により検出した角度に応じて補正することで歪みのない撮影画像を形成することを特徴とする。
【００１４】
請求項７記載の発明は、請求項６記載の移動体通信端末装置において、補正処理手段は、角度検出手段により検出した角度に幅を持たせて画像の歪みを補正する補正調節処理手段を有し、角度検出手段により検出した角度に応じて画像の歪みを補正した後に、補正調節処理手段によりさらに画像の歪みを補正することを特徴とする。
【００１５】
請求項８記載の発明は、請求項６または７記載の移動体通信端末装置において、角度検出手段と、補正処理手段と、を実行させるか否かを設定する設定手段を有することを特徴とする。
【００１６】
請求項９記載の発明は、折り畳み可能な移動体通信端末装置で実行される画像補正処理プログラムであって、移動体通信端末装置において、被写体を撮影する画像読取処理と、画像読取処理により撮影される撮影方向と被写体とのなす一定角度で形成される撮影画像の歪みを補正する歪補正処理と、を実行させ、画像読取処理により一定角度で撮影された撮影画像の歪みを歪補正処理により補正することで歪みのない撮影画像を形成することを特徴とする。
【００１７】
請求項１０記載の発明は、請求項９記載の画像補正処理プログラムにおいて、歪補正処理は、一定角度で形成される画像の歪みを補正する演算処理を実行させることで歪み補正を行うことを特徴とする。
【００１８】
請求項１１記載の発明は、請求項９または１０記載の画像補正処理プログラムにおいて、一定角度に幅を持たせて画像の歪みを補正する歪補正調節処理を移動体通信端末装置において実行させ、歪補正処理は、一定角度で形成される画像の歪みを補正した後に、歪補正調節処理によりさらに画像の歪みを補正することを特徴とする。
【００１９】
請求項１２記載の発明は、請求項９から１１の何れか１項に記載の画像補正処理プログラムにおいて、画像読取処理と、歪補正処理と、の少なくとも一つの処理は、移動体通信端末装置の具備する操作ボタンにより実行させることを特徴とする。
【００２０】
請求項１３記載の発明は、折り畳み可能な移動体通信端末装置で実行させる画像補正処理プログラムであって、移動体通信端末装置において、被写体を撮影する画像読取処理と、画像読取処理により撮影される撮影方向と被写体とのなす角度を検出する角度検出処理と、角度検出処理により検出された角度に応じて画像の歪みを補正する補正処理と、を実行させ、画像読取処理により撮影された撮影画像の歪みを角度検出処理により検出した角度に応じて補正することで歪みのない撮影画像を形成することを特徴とする。
【００２１】
請求項１４記載の発明は、請求項１３記載の画像補正処理プログラムにおいて、角度検出処理により検出した角度に幅を持たせて画像の歪みを補正する補正調節処理を移動体通信端末装置において実行させ、補正処理は、角度検出処理により検出した角度に応じて画像の歪みを補正した後に、補正調節処理によりさらに画像の歪みを補正することを特徴とする。
【００２２】
請求項１５記載の発明は、請求項１３または１４記載の画像補正処理プログラムにおいて、画像読取処理と、角度検出処理と、補正処理と、の少なくとも１つの処理は、移動体通信端末装置の具備する操作ボタンにより実行させることを特徴とする。
【００２３】
【発明の実施の形態】
（本発明の特徴）
まず、図１を参照しながら本発明にかかる移動体通信端末装置について説明する。
本発明にかかる移動体通信端末装置は、画像読取部（カメラ）と被写体との対角線を所定の角度αに保持した状態で被写体を読み取った際に形成される画像の歪みを補正する補正処理機能を具備することにより、所定の角度αで読み取った撮影画像から歪みのない撮影画像に補正することが可能となる移動体通信端末装置である。
これにより、移動体通信端末装置を所定の角度αに保持した状態で、画像読取部を用いて画像を読み取った際に生じる画像の歪みを、移動体通信端末装置の具備する補正処理機能により補正することが可能となり、歪みのない撮影画像を取得することが可能となる。
【００２４】
（第１の実施の形態）
以下、添付図面を参照しながら本発明にかかる第１の実施の形態について詳細に説明する。
まず、図２を参照しながら、本発明にかかる移動体通信端末装置の外部構成について説明する。
本発明にかかる移動体通信端末装置は、スピーカ１と、表示部２と、操作部３と、マイク４と、カメラ５と、アンテナ６と、ヒンジ７と、を有して構成される。
スピーカ１は通話の際に用いられるものであり、表示部２は移動体通信端末装置の各種情報ならびにカメラ５で撮影された画像が表示されるＬＣＤ表示部である。
操作部３は移動体通信端末装置における各種操作を行うためのボタンスイッチ操作部であり、マイク４は通話の際に用いられるものである。
カメラ５はＣ−ＭＯＳまたはＣＣＤで構成されたデジタルカメラであり、アンテナ６は外部の通信端末装置と通信処理を行う際に使用されるものである。
なお、ヒンジ７は移動体通信端末装置の本体を折り畳むことが可能となるように設けられている。
【００２５】
次に、図３を参照しながら本発明にかかる移動体通信端末装置における内部回路構成について説明する。
移動体通信端末装置は、制御回路部１０と、表示部１１と、カメラ１２と、操作部１３と、通信用無線回路部１４と、マイク１５と、スピーカ１６と、充電池１７と、アンテナ１８と、を有して構成される。
制御回路部１０は、ＣＰＵおよびメモリＩＣと電源制御用ＬＳＩとを有して構成されており、移動体通信端末装置において実施される各種デバイスへの電源供給や各種デバイスの制御を行うものである。
表示部１１は、制御回路部１０により制御され、移動体通信端末装置としての各種情報（操作メニュー、電話帳、時刻等）の表示を行うものであり、カメラ１２から入力された画像を表示するファインダーとして機能するものである。なお、表示部１１にはＬＥＤ表示部等が挙げられる。
カメラ１２は、Ｃ−ＭＯＳまたはＣＣＤで構成されたデジタルカメラであり、制御回路部１０の制御により被写体の撮影（画像データ化）が行えるものである。なお、撮影された画像データは、制御回路部１０で処理され、表示部１１に表示する、または、制御回路部１０内のメモリに保存することも可能である。また、通信用無線回路部１４を介して外部の通信端末装置に送信することも可能である。
【００２６】
操作部１３は、移動体通信端末装置の操作を行う為に設けられており、操作部１３から入力された情報は、制御回路部１０にて処理され、移動体通信端末装置としての動作が行われる。操作部１３には、ボタンスイッチ操作部等が挙げられる。
通信用無線回路部１４は、制御回路部１０の制御によりアンテナ１８を介して基地局と通信処理を行うものである。
【００２７】
上記構成からなる移動体通信端末装置の筐体構造は、ヒンジ７により筐体を全開にした場合に、筐体が真っ直ぐ（１８０度）には開かないような構造を形成している。これは、移動体通信端末装置の具備するスピーカ１を使用者の耳に当てた場合に、筐体下端に実装されたマイク４が使用者の口元にくるように設計されている為である。
【００２８】
次に、上記構成からなる移動体通信端末装置における処理動作について説明する。
まず、図１に示すように、移動体通信端末装置を全開にした状態で机上に設置する。これにより、図１に示すように机上とある一定の角度を形成して移動体通信端末装置が設置されることとなる。この状態で、移動体通信端末装置の具備するカメラ５と、机上に設置された被写体の中心とが直線上に位置するように被写体を撮影すると、被写体の正面方向とカメラ５の正面方向（撮影方向）との間には、図１に示すように、ある一定の角度αが生じることとなり、被写体に対して斜め方向からの撮影となる。このため、撮影された画像は、図４に示すように、カメラ５と被写体との撮影距離が近い部分には拡大された撮影画像が形成され、カメラ５と被写体との撮影距離が遠くなるに従って段々と縮小された撮影画像が形成される。ここで、移動体通信端末装置の筐体を全開にした際に形成される角度αは常に一定であるため、図１に示す被写体となす角度αも常に一定となり、その角度αにより生じる撮影画像の歪みも常に一定となる。
【００２９】
そこで、一定の角度αにより生じる画像の歪みを補正するためには、歪み方向とは逆となる、カメラ５と被写体との撮影距離が遠くなる点から近くなる点に向かって撮影画像を徐々に縮小するような補正処理を行えばよく、その縮小していく度合いは、常に一定の歪みが生じることにより簡単に設計することができるものである。
【００３０】
本発明にかかる移動体通信端末装置は、一定の角度αにより生じる画像の歪みを補正する演算処理を予めソフトウェアに実装し、移動体通信端末装置の制御回路部１０に格納しておく。
これにより、移動体通信端末を机上に設置して、被写体を撮影した際に生じる一定の角度αによる画像の歪みを、制御回路部１０に格納した演算処理を用いて補正することで図５に示す歪みのない撮影画像が得られることとなる。
【００３１】
なお、本発明にかかる移動体通信端末装置は、使用状態に応じて任意に演算処理を実行するか否かを操作部３を用いて切り替えるものとし、通常の人物撮影時には演算処理をＯＦＦにして撮影するものとする。
このように、演算処理を実行するか否かを操作部３を用いて切り替えることで、ユーザが歪み補正処理を容易に実行することが可能となる。
【００３２】
次に、図６を参照しながら、上記構成からなる移動体通信端末装置における歪み補正の処理動作について説明する。
まず、制御回路部１０の制御により、カメラ５で撮影された撮影画像が制御回路部１０に入力され（ステップＳ１）、表示部２に表示される（ステップＳ２）。なお、表示部２に表示される撮影画像は、被写体を撮影する際に形成される一定の角度αの歪みが形成されて表示されている。次に、ユーザは操作部３を用いて歪み補正処理を実行させ（ステップＳ３）、制御回路部１０は表示部２に表示した撮影画像データに対して、予め制御回路部１０に格納させた歪み補正の演算処理を行う（ステップＳ４）。この演算処理により、歪みのない撮影画像を形成することが可能となる（ステップＳ５）。
【００３３】
このように、被写体とカメラ５の撮影方向とで形成される一定の角度αにより生じる画像の歪みを補正する演算処理を移動体通信端末装置に実装させ、カメラ５から入力した撮影画像の補正処理を実行させることで、歪みのない撮影画像を取得することが可能となる。また、常に一定の角度αにより生じる歪み補正演算処理を用いて補正処理を実行させるため、制御回路部１０における補正処理を簡略化させることが可能となる。
【００３４】
（第２の実施の形態）
次に、第２の実施の形態について説明する。
第２の実施の形態は、第１の実施の形態において、一定の角度αにより生じる画像の歪みを補正する演算処理を予めソフトウェアに実装し、移動体通信端末装置の制御回路部１０に格納することとした。これにより該格納した演算処理を用いて、移動体通信端末を机上に設置して被写体を撮影した際に生じる一定の角度αによる画像の歪みを、制御回路部１０に格納した演算処理を用いて補正することで歪みのない撮影画像が得られることとしたが、第２の実施の形態は、机上と移動体通信端末装置との間に形成される角度αを検出する角度検出部１９と、角度αにより生じる画像の歪みを補正する歪補正処理部２０と、を新たに移動体通信端末装置に具備させたことを特徴とする。
これにより、角度検出部１９により検出した角度αと、該角度αにより生じる画像の歪みを補正する歪補正処理部２０と、を用いることで様々な角度での歪み補正処理が可能となる。以下、第２の実施の形態における移動体通信端末装置について詳細に説明する。
【００３５】
まず、図７を参照しながら第２の実施の形態における移動体通信端末装置の内部構成について説明する。
移動体通信端末装置は、制御回路部１０と、表示部１１と、カメラ１２と、操作部１３と、通信用無線回路部１４と、マイク１５と、スピーカ１６と、充電池１７と、アンテナ１８と、角度検出部１９と、歪補正処理部２０と、を有して構成される。
このように、第２の実施の形態は、第１の実施の形態において、角度検出部１９と、歪補正処理部２０と、を新たに具備した構成となる。
まず、角度検出部１９について説明する。
角度を検出するには基準となる初期値を予め設定しなくては角度を検出することはできない。この基準となる初期値としては、移動体通信端末装置を折り畳んだ状態を初期値とし、その初期値を基準として移動体通信端末装置の開けた際の角度を自動的に検出することも可能である。これにより、移動体通信端末装置が綴じた状態から被写体を撮影する際の角度までを検出することが可能となり、該検出した角度を用いて角度αを求めることが可能となる。
また、ある所定の角度で一度固定されるようにヒンジ部７を形成し、操作部３により角度を検出する処理を実行させることで、一度固定された点を初期値とし所定の角度を検出することも可能である。これにより、一度固定された点から被写体を撮影する際の角度までを検出することが可能となり、該検出した角度を用いて角度αを求めることが可能となる。
【００３６】
次に、歪補正処理部２０について説明する。
歪補正処理部２０は、所定の角度αにより形成される撮影画像の歪みを補正するための演算処理を行い、撮影画像の歪みを補正する処理部である。
【００３７】
次に、図８を参照しながら、上記構成からなる移動体通信端末装置における歪み補正の処理動作について説明する。
まず、移動体通信端末装置の具備する操作部３を用いてカメラ５に対して被写体の撮影処理を実行させる（ステップＳ１０）。この撮影処理を実行させることで、カメラ５により撮影された撮影画像は制御回路部１０に入力され、表示部２に表示される（ステップＳ１１）。なお、表示部２に表示される撮影画像は、被写体を撮影する際に形成される角度αの歪みが形成されて表示される。また、角度検出部１９を実行させることで、角度αが検出される（ステップＳ１２）。
次に、操作部３を用いて歪み補正処理を実行させることで（ステップＳ１３）、制御回路部１０は表示部２に表示した撮影画像データに対して、角度検出部１９により検出された角度αに応じた歪み補正の演算処理を歪補正処理部２０に実行させる（ステップＳ１４）。この演算処理により、歪みのない撮影画像を形成することが可能となる（ステップＳ１５）。
このように、角度検出部１９を用いて角度αを求め、該求めた角度αにより生じる画像の歪みを補正する歪補正処理部２０を用いることで様々な角度での歪み補正処理が可能となる。
【００３８】
（第３の実施の形態）
次に、第３の実施の形態について説明する。
第３の実施の形態における移動体通信端末装置は、歪み補正の手法として、図９に示すようなカメラ５のレンズ前に装着する外付けレンズ２１にて画像の歪み補正を計ったカメラ付き移動体通信端末装置である。
【００３９】
図９に示す外付けレンズ２１は磁石等の手段により図１０に示すように移動体通信端末装置に装着されるものであり、使用者は、図９の９−１に示す矢印が真上となるように外付けレンズ２１を移動体通信端末装置に装着するものとする。
【００４０】
図９に示す外付けレンズ２１は、第１の実施の形態と同条件にて撮影を行った場合に、第１の実施の形態と同様な歪み補正処理機能が得られるように、図９の９−１に示す矢印方向に向かって一定に拡大率が増大して行くように光学設計がなされている外付けレンズ２１である。
【００４１】
このように、被写体を読み取る際には、外付けレンズ２１を移動体通信端末の具備するカメラ５に装着し画像を読み取ることとなる。この外付けレンズ２１に対して、所定の歪み補正を行うことが可能となるように一定の比率で被写体が拡大することで、レンズの回折により、画像の歪みを回避することが可能となる。
【００４２】
なお、上述する実施の形態は、本発明の好適な実施の形態であり、本発明の要旨を逸脱しない範囲内において種々変更実施が可能である。
例えば、上記実施の形態において歪み補正機能により撮影画像の歪みを補正したが、多少の誤差を生じる場合も想定されるため、その誤差を補正する処理機能を具備することも可能とする。この誤差補正処理機能は、被写体を撮影した際に生じる一定の角度αによる画像の歪みを補正した際に、角度α±Δαの範囲まで補正することを可能とするものである。この誤差補正処理機能は、操作部から操作することで実行させることも可能であり、また、一定の角度αによる補正処理を行った際に自動的に実行させることも可能である。
【００４３】
また、上記実施の形態における処理動作を実行させる各機能を予めプログラムとして設定し、移動体通信端末装置において実行させることも可能である。
【００４４】
【発明の効果】
以上の説明より明らかなように本発明は以下のような効果を奏する。
本発明にかかる移動体通信端末装置は、一定の角度により生じる撮影画像の歪みに対する補正処理を予め移動体通信端末装置に保持しておくことで、手振れの発生を抑えるために移動体通信端末装置を机上に設置した状態で被写体を撮影する場合でも、歪みのない撮影画像を形成することが可能となる。
【図面の簡単な説明】
【図１】本発明にかかる移動体通信端末装置を用いて被写体を撮影する際の一例を示す図である。
【図２】本発明にかかる移動体通信端末装置の外部構成を示す図である。
【図３】本発明にかかる移動体通信端末装置の内部構成を示すブロック図である。
【図４】カメラから被写体を撮影した際に表示部に表示される歪みのある撮影画像を示す図であり、撮影距離：近は、カメラ５と被写体との撮影距離が近い部分を示し、撮影距離：遠は、カメラ５と被写体との撮影距離が遠い部分を示す。
【図５】本発明にかかる移動体通信端末装置により、歪み補正処理を施した際の撮影画像を示す図であり、撮影距離：近は、カメラ５と被写体との撮影距離が近い部分を示し、撮影距離：遠は、カメラ５と被写体との撮影距離が遠い部分を示す。
【図６】第１の実施の形態における歪み補正の処理動作を示すフローチャートである。
【図７】第２の実施の形態における移動体通信端末装置の内部構成を示すブロック図である。
【図８】第２の実施の形態における歪み補正の処理動作を示すフローチャートである。
【図９】第３の実施の形態における歪み補正処理を行う外付けレンズを説明するための図である。
【図１０】図９に示す外付けレンズを移動体通信端末装置の具備するカメラに実装させた場合を説明するための図である。
【図１１】移動体通信端末装置の具備するヒンジを用いて１８０度に開いて被写体を撮影する場合の一例を示す図である。
【符号の説明】
１、１６  スピーカ
２、１１  表示部
３、１３  操作部
４、１５  マイク
５、１２  カメラ
６、１８  アンテナ
７  ヒンジ
１０  制御回路部
１４  通信用無線回路部
１７  充電池
１９  角度検出部
２０  歪補正処理部
２１  外付けレンズ
【図１】
2004242208.tif 000003
【図２】
2004242208.tif 000004
【図３】
2004242208.tif 000005
【図４】
2004242208.tif 000006
【図５】
2004242208.tif 000007
【図６】
2004242208.tif 000008
【図７】
2004242208.tif 000009
【図８】
2004242208.tif 000010
【図９】
2004242208.tif 000011
【図１０】
2004242208.tif 000012
【図１１】
2004242208.tif 000013